(57)【特許請求の範囲】
【請求項１】
被洗浄車両に対して前後方向に移動する洗車機本体と、洗車条件を入力する入力部を有して前記洗車機本体に対する進入経路上に沿って設置されるリモートパネルと、前記洗車機本体に昇降可能に配して所定の退避位置から案内位置に下降して被洗浄車両を洗車開始位置に案内する表示部とを備えた洗車機であって、
前記リモートパネルをユーザが所望する高さに昇降可能に形成するとともに、被洗浄車両を前記洗車開始位置に案内する際に前記案内位置の表示部の高さを前記リモートパネルの高さに基づいて可変したことを特徴とする洗車機。
【請求項２】
被洗浄車両が前記洗車開始位置を超えて過進入した際に、前記表示部により過進入を報知するとともに、前記表示部を前記退避位置に上昇させることを特徴とする請求項１に記載の洗車機。
【請求項３】
過進入した被洗浄車両が後退して前記洗車開始位置に配された際に前記表示部を前記案内位置に下降させることを特徴とする請求項２に記載の洗車機。
【請求項４】
前記洗車機本体の周囲の明るさを検出する明暗センサを備え、
前記明暗センサの検出結果が所定の明るさよりも暗い時に明るい時よりも前記案内位置の前記表示部の高さを上方に配したとともに、前記表示部の照度を低くしたことを特徴とする請求項１〜３に記載の洗車機。
【請求項５】
被洗浄車両の上面に送風するトップ送風ノズルと、前記トップ送風ノズルを昇降させる昇降装置を備え、前記トップ送風ノズルに前記表示部を設置したことを特徴とする請求項１〜４のいずれかに記載の洗車機。
【請求項６】
被洗浄車両を洗浄する回転ブラシと、被洗浄車両を乾燥させる送風ノズルと、前記回転ブラシと前記送風ノズルとの間に配されて前記回転ブラシの飛水を防止する飛水防止部と、前記飛水防止部を昇降させる昇降装置とを備え、前記飛水防止部に前記表示部を設置したことを特徴とする請求項１〜４のいずれかに記載の洗車機。
【発明の詳細な説明】
【技術分野】
【０００１】
本発明は、被洗浄車両を洗車開始位置に案内する表示部を備えた洗車機及び洗車方法に関する。
【背景技術】
【０００２】
給油所等に設置される従来の洗車機は特許文献１に開示されている。この洗車機は被洗浄車両に対して前後方向に移動させる洗車機本体を備えている。洗車機本体は左右の対向する２つのスタンド部と、スタンド部の上端を連結する天井部とを有して被洗浄車両を跨いで門型に形成される。
【０００３】
洗車機本体には洗浄部、乾燥部及び検知部が設けられている。洗浄部は被洗浄車両の側面や上面を洗浄する回転ブラシを備えている。乾燥部は空気を被洗浄車両に送風して被洗浄車両を乾燥させ、被洗浄車両の上面に送風するトップ送風ノズルを備えている。
【０００４】
トップ送風ノズルは上下方向に昇降可能に形成され、トップ送風ノズルには被洗浄車両を洗浄開始位置に案内する表示部が設けられる。表示部はトップ送風ノズルの中央の上部に配した報知ランプと、トップ送風ノズルの前面に記された「ランプの点灯で停止して下さい」等のメッセージとを有している。検知部は洗車機本体へ向かって移動する被洗浄車両を検知する。
【０００５】
上記構成の洗車機において、前回の洗車が終了すると、トップ送風ノズルは下降して所定の高さの案内位置に配される。ユーザが被洗浄車両を洗車機本体に向って洗浄開始位置まで移動させると、検知部の検知によって報知ランプが点灯する。報知ランプの点灯に気づいたユーザは被洗浄車両の移動を停止する。これにより、被洗浄車両が洗車開始位置に配される。
【０００６】
洗車開始位置に被洗浄車両が停止すると、トップ送風ノズルが案内位置から上方に退避し、洗浄部による洗浄が開始される。洗浄部による洗浄に続き、乾燥部により空気を被洗浄車両に送風して被洗浄車両を乾燥させる。そして、被洗浄車両が退出すると、トップ送風ノズルが再び案内位置まで下降する。
【先行技術文献】
【特許文献】
【０００７】
【特許文献１】特開平１１−５９３４１  号公報
【発明の概要】
【発明が解決しようとする課題】
【０００８】
しかしながら、上記従来の洗車機によると、被洗浄車両によって運転席の高さが異なるため、案内位置のトップ送風ノズル上の表示部による報知をユーザが見落とす場合がある。これにより、被洗浄車両が洗車開始位置を超えて過進入する場合が多くなり、洗車機の利便性が低い問題があった。
【０００９】
本発明は、表示部をユーザに見え易くして利便性を向上できる洗車機を提供することを目的とする。
【課題を解決するための手段】
【００１０】
上記目的を達成するために本発明は、被洗浄車両に対して前後方向に移動する洗車機本体と、洗車条件を入力する入力部を有して前記洗車機本体に対する進入経路上に沿って設置されるリモートパネルと、前記洗車機本体に昇降可能に配して所定の退避位置から案内位置に下降して被洗浄車両を洗車開始位置に案内する表示部とを備えた洗車機であって、前記リモートパネルをユーザが所望する高さに昇降可能に形成するとともに、被洗浄車両を前記洗車開始位置に案内する際に前記案内位置の表示部の高さを前記リモートパネルの高さに基づいて可変したことを特徴とする。
【００１１】
また、本発明は上記構成の洗車機において、被洗浄車両が前記洗車開始位置を超えて過進入した際に、前記表示部により過進入を報知するとともに、前記表示部を前記退避位置に上昇させることを特徴とする。
【００１２】
また、本発明は上記構成の洗車機において、過進入した被洗浄車両が後退して前記洗車開始位置に配された際に前記表示部を前記案内位置に下降させることを特徴とする。
【００１３】
また、本発明は上記構成の洗車機において、前記洗車機本体の周囲の明るさを検出する明暗センサを備え、前記明暗センサの検出結果が所定の明るさよりも暗い時に明るい時よりも前記案内位置の前記表示部の高さを上方に配したとともに、前記表示部の照度を低くしたことを特徴とする。
【００１４】
また、本発明は上記構成の洗車機において、被洗浄車両の上面に送風するトップ送風ノズルと、前記トップ送風ノズルを昇降させる昇降装置とを備え、前記トップ送風ノズルに前記表示部を設置したことを特徴とする。
【００１５】
また、本発明は上記構成の洗車機において、被洗浄車両を洗浄する回転ブラシと、被洗浄車両を乾燥させる送風ノズルと、前記回転ブラシと前記送風ノズルとの間に配されて前記回転ブラシの飛水を防止する飛水防止部と、前記飛水防止部を昇降させる昇降装置とを備え、前記飛水防止部に前記表示部を設置したことを特徴とする。
【００１６】
また、上記目的を達成するために本発明は、被洗浄車両に対して前後方向に移動する洗車機本体と、洗車条件を入力する入力部を有して前記洗車機本体に対する進入経路上に沿って設置されるリモートパネルと、前記洗車機本体に昇降可能に配して所定の退避位置から案内位置に下降して被洗浄車両を洗車開始位置に案内する表示部とを備えた洗車方法であって、前記リモートパネルをユーザが所望する高さに昇降可能に形成するとともに、被洗浄車両を前記洗車開始位置に案内する際に前記案内位置の表示部の高さを前記リモートパネルの高さに基づいて可変したことを特徴とする。
【発明の効果】
【００１７】
本発明によると、リモートパネルをユーザが所望する高さに昇降可能に形成するとともに、被洗浄車両を洗車開始位置に案内する際に案内位置の表示部の高さをリモートパネルの高さに基づいて可変した。これにより、表示部の高さがユーザの目の高さに応じて可変され、表示部の見落としを防止して被洗浄車両の過進入を低減することができる。このため、洗車機及び洗車方法の利便性を向上することができる。
【図面の簡単な説明】
【００１８】
【図１】本発明の第１実施形態の洗車機を示す側面図
【図２】本発明の第１実施形態の洗車機を示す正面図
【図３】本発明の第１実施形態の洗車機を示す側面図
【図４】本発明の第１実施形態の洗車機を示す側面図
【図５】本発明の第１実施形態の洗車機を示す側面図
【図６】本発明の第１実施形態の洗車機を示す側面図
【図７】本発明の第２実施形態の洗車機を示す側面図
【図８】本発明の第２実施形態の洗車機を示す正面図
【発明を実施するための形態】
【００１９】
＜第１実施形態＞
以下に図面を参照して本発明の実施形態を説明する。図１、図２は本発明の第１実施形態の洗車機ＷＡを示す側面図及び正面図である。洗車機ＷＡは洗車機本体１、レール２、リモートパネル３２及び停止センサ４６を備えている。洗車機本体１は左右の対向する２つのスタンド部９０と、スタンド部９０の上端を連結する天井部９１とを有した門型に形成される。
【００２０】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２１】
リモートパネル３２は洗車機本体１に対する進入経路Ｓに沿って配される。リモートパネル３２はユーザが洗車条件を入力する入力部３２ａを有し、支柱３３に上下方向に昇降可能に設けられている。被洗浄車両ＣＡはリモートパネル３２の面前で停車し、ユーザは被洗浄車両ＣＡ内からリモートパネル３２を所望する高さに設定し、入力部３２ａから洗車条件の設定を行う。
【００２２】
リモートパネル３２に設けたボタンにより、シャンプー、ワックス掛け、撥水コート等に使用する液剤を用いた洗車条件を設定することができる。また、フロントガード有り、フェンダーポール有り、サイドミラー有り、リヤワイパ有り、ルーフキャリア有り等の装備品の設定もすることができる。
【００２３】
リモートパネル３２と洗車機本体１との間には左右一対の停止センサ４６が設けられている。停止センサ４６は支柱４６ａの上端に設けられ、一方の停止センサ４６は発光素子を有し、他方の停止センサ４６は受光素子を有している。これにより、被洗浄車両ＣＡの洗車が開始される洗車開始位置まで被洗浄車両ＣＡが前進すると、停止センサ４６により検知し、後述する表示部４０により所定の報知を行う。
【００２４】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２５】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４及びワックスノズル１６は洗車機本体１の奥側に配される。撥水コートノズル１４は被洗浄車両ＣＡに対して撥水コート剤を噴射する。ワックスノズル１６は被洗浄車両ＣＡに対して液体のワックスを噴射する。
【００２６】
洗車機本体１の一方のスタンド部９０の正面には操作パネル７が配される。操作パネル７は洗車条件を設定するリモートパネル３２と同様の入力部を備えている。
【００２７】
洗車機本体１には被洗浄車両ＣＡ上に摺動してブラッシングするトップブラシ４、サイドブラシ５及びロッカーブラシ６から成る複数の回転ブラシが設けられる。トップブラシ４は天井部９１に設けられ、被洗浄車両ＣＡの上面に沿って移動して被洗浄車両ＣＡの上面を洗浄する。サイドブラシ５はスタンド部９０の前後方向の中央部に配され、被洗浄車両ＣＡの側面及び後面を洗浄する。ロッカーブラシ６は左右のスタンド部９０の下部に揺動可能に設けられ、被洗浄車両ＣＡの両側面の下部を洗浄する。
【００２８】
洗車機本体１の両側のスタンド部９０の前部（入口側）には形状センサ９、進入センサ４５及び明暗センサ３８が設けられている。形状センサ９は光電センサや超音波センサ等から成り、洗車機本体１に進入する被洗浄車両ＣＡの外面形状を検知する。進入センサ４５は被洗浄車両ＣＡが洗車機本体１に進入したことを検知する。明暗センサ３８は洗車機本体１の周囲の照度を検知する。
【００２９】
洗車機本体１の上部には気流を発生して被洗浄車両ＣＡを乾燥させるブロア２０が設けられる。ブロア２０にはサイド送風ノズル２２及びトップ送風ノズル２１が接続される。サイド送風ノズル２２は各スタンド部９０の後部にそれぞれ設けられ、被洗浄車両ＣＡの側面に向けて送風する。トップ送風ノズル２１は天井部９１の後部に設けられ、被洗浄車両ＣＡの上面に向けて送風する。
【００３０】
洗車機本体１の天井部９１の中央部にはモータ５１及びワイヤ５４を有した昇降装置５５が設けられる。ワイヤ５４の一端はモータ５１の軸部５１ａにプーリー（不図示）を介して巻回され、他端はトップ送風ノズル２１に連結される。これにより、モータ５１の駆動によってトップ送風ノズル２１が上下方向に昇降する。
【００３１】
トップ送風ノズル２１の下面は送風口２１ａが開口し、上面には表示部４０が設けられている。表示部４０は左右方向に並設する青色回転灯４０ａ及び赤色回転灯４０ｂを有している。青色回転灯４０ａは青色光を発光し、赤色回転灯４０ｂは赤色光を発光する。
【００３２】
表示部４０はトップ送風ノズル２１の昇降によって案内位置と退避位置との間を昇降する。被洗浄車両ＣＡを洗浄開始位置に案内する際に表示部４０が案内位置に配される。表示部４０を案内位置から上方に退避させる退避位置に配置すると、トップ送風ノズル２１が被洗浄車両ＣＡよりも上方に配される。
【００３３】
また、洗車機本体１には音声による報知を行うスピーカ（不図示）が設けられている。
【００３４】
上記構成の洗車機ＷＡにおいて、ユーザは被洗浄車両ＣＡを運転してリモートパネル３２の面前で停車させ、被洗浄車両ＣＡ内からリモートパネル３２を所望の高さに設定する。この時、概ねリモートパネル３２の入力部３２ａがユーザの目の高さに配されている。ユーザがリモートパネル３２を所望する高さに設定すると、トップ送風ノズル２１とともに表示部４０が退避位置から案内位置に下降する。
【００３５】
図３、図４はこの時の洗車機本体１及び被洗浄車両ＣＡの側面図を示している。図３は車高の低いセダンタイプの被洗浄車両ＣＡを示しており、図４は車高の高い１ボックスタイプの被洗浄車両ＣＡを示している。案内位置の表示部４０の高さはリモートパネル３２の高さに応じて可変される。本実施形態では案内位置の表示部４０の高さをリモートパネル３２の入力部３２ａの高さにしている。
【００３６】
このため、図３に示す案内位置の表示部４０の高さＨ１が、図４に示す案内位置の表示部４０の高さＨ２よりも低くなっている。これにより、案内位置の表示部４０が概ねユーザの目の高さに配される。
【００３７】
ユーザは所望するリモートパネル３２の高さを決定した後、被洗浄車両ＣＡの洗車条件の設定を行う。洗車条件が設定されると、青色回転灯４０ａが点灯し、スピーカ（不図示）から「車両を運転して前方の青色回転灯が消灯し、赤色回転灯が点灯するまでゆっくりと進んでください」等の洗浄開始位置に案内する報知を行う。この時、ユーザは正面に配される青色回転灯４０ａを視認して前進する。
【００３８】
被洗浄車両ＣＡが前進して停止センサ４６が被洗浄車両ＣＡを検知すると、青色回転灯４０ａが消灯し、赤色回転灯４０ｂが点灯する。そして、スピーカ（不図示）から「洗車可能な位置に車両が到着しました。車両を停止してください。」等の停止を指示する報知を行う。
【００３９】
被洗浄車両ＣＡがさらに前進して進入センサ４５が被洗浄車両ＣＡを検知すると、被洗浄車両ＣＡは洗車機本体１に過進入した状態になる。
【００４０】
図５はこの時の洗車機本体１の側面図を示している。進入センサ４５が被洗浄車両ＣＡを検知すると、図５に示すように、トップ送風ノズル２１が上昇して表示部４０が高さＨ３（退避位置）になるまで上昇する。これにより、トップ送風ノズル２１と被洗浄車両ＣＡとの衝突を防止する。この時、スピーカ（不図示）から「車両が洗車機本体内に過進入しました。車両を後退させて下さい。」等の後退を指示する報知を行うとともに、青色回転灯４０ａ及び赤色回転灯４０ｂの両方が点灯して異常事態を報知する。
【００４１】
被洗浄車両ＣＡが過進入していることに気付いたユーザは被洗浄車両ＣＡを後退させる。被洗浄車両ＣＡが後退して図６に示すように、進入センサ４５が被洗浄車両ＣＡを検出しなくなると、再び表示部４０が退避位置から案内位置に下降する。この時、赤色回転灯４０ｂが点灯するとともに、スピーカから「洗車可能な位置に車両が到着しました。車両を停止してください。」等の停止を指示する報知を行う。これにより、ユーザは正確に被洗浄車両ＣＡを洗車開始位置に停止することができる。
【００４２】
その後、洗車機本体１が前後方向に移動を開始して各回転ブラシにより被洗浄車両ＣＡを洗浄し、各送風ノズルにより被洗浄車両ＣＡを乾燥させて洗車を終了する。
【００４３】
また、明暗センサ３８の検出結果が所定の明るさよりも暗い時に明るい時よりも案内位置の表示部４０の高さを上方に配するとともに、表示部４０の照度を低くしている。これにより、夜間等の周囲が暗い時間帯に洗車を行う際に、ユーザの目の高さよりも上方に表示部４０が配置され、表示部４０の眩しさを低減することができる。さらに、表示部４０の照度を低くしているため、表示部４０の眩しさをより低減することができる。また、周囲が暗い時の案内位置の表示部４０の高さを上方に配しているため、被洗浄車両ＣＡが過進入した際に迅速に表示部４０を退避位置に退避させることができる。従って、被洗浄車両ＣＡとトップ送風ノズル２１との衝突をさらに低減することができる。なお、明暗センサ３８の検出結果が所定の明るさよりも暗い時に明るい時よりも案内位置の表示部４０の高さを上方に配するだけの構成でもよく、照度を低くするだけの構成でもよい。
【００４４】
本実施形態によると、リモートパネル３２をユーザが所望する高さに昇降可能に形成すし、被洗浄車両ＣＡを洗車開始位置に案内する際に案内位置の表示部４０の高さをリモートパネル３２の高さに基づいて可変した。これにより、表示部４０の高さがユーザの目の高さに応じて可変され、表示部４０の見落としを防止して被洗浄車両ＣＡの過進入を低減することができる。従って、洗車機ＷＡ及び洗車方法の利便性を向上することができる。
【００４５】
また、被洗浄車両ＣＡが洗車開始位置を超えて過進入した際に、表示部４０により過進入を報知するとともに、表示部４０を退避位置に上昇させる。これにより、ユーザの運転する被洗浄車両ＣＡが過進入であることを容易に把握させるとともに、表示部４０と被洗浄車両ＣＡとの衝突を防止できる。
【００４６】
また、過進入した被洗浄車両ＣＡが後退して洗車開始位置に配された際に表示部４０を案内位置に下降させる。これにより、ユーザは洗車開始位置に被洗浄車両ＣＡが再び配されたことを容易に把握できる。
【００４７】
また、明暗センサ３８の検出結果が所定の明るさよりも暗い時に明るい時よりも案内位置の表示部４０の高さを上方に配した。このため、表示部４０の眩しさを低減することができる。また、周囲が暗い時の案内位置の表示部４０の高さを上方に配しているため、被洗浄車両ＣＡが過進入した際に迅速に表示部４０を退避位置に退避させることができる。従って、被洗浄車両ＣＡとトップ送風ノズル２１との衝突をさらに低減することができる
【００４８】
また、昇降装置５５により昇降するトップ送風ノズル２１に表示部４０を設置したため、利便性を向上できる洗車機ＷＡを容易に実現できる。
【００４９】
＜第２実施形態＞
次に、図７、図８は第２実施形態の洗車機ＷＡを示す側面図及び正面図である。説明の便宜上、前述の図１〜図６に示す第１実施形態と同様の部分には同一の符号を付している。本実施形態は第１実施形態に対して昇降装置６５及び飛水防止部６０が設けられ、表示部４０がトップノズル４に替えて飛水防止部６０に設けられる点が異なる。その他の部分は第１実施形態と同様である。
【００５０】
飛水防止部６０は回転ブラシ（サイドブラシ５、トップブラシ８）と送風ノズル（トップ送風ノズル２１、サイド送風ノズル２２）との間に配されている。飛水防止部６０は板状の板状部６０ａ、６０ｂ、６０ｃを有している。上段の板状部６０ａは洗車機本体１に対して上下にスライド可能に設けられている。中段の板状部６０ｂは板状部６０ａに対して上下方向にスライド可能に連結される。下段の板状部６０ｃは板状部６０ｂに対して上下方向にスライド可能に連結される。
【００５１】
昇降装置６５は飛水防止部６０の上方で回転ブラシと送風ノズルとの間に配され、昇降装置５５と同様にモータ（不図示）及びワイヤ６３を有している。ワイヤ６３の一端は昇降装置６５の左右の端部の軸部６５ａにプーリー（不図示）を介して巻回されている。
【００５２】
ワイヤ６３の他端は板状部６０ｃの両端部の突起部６０ｄに連結されている。これにより、洗車機本体１が前後方向に移動する際に、形状センサ９の検出結果に基づいて飛水防止部６０の上下方向の長さが被洗浄車両ＣＡの形状に沿って可変される。
【００５３】
表示部４０は板状部６０ｃに設けられ、昇降装置６５を駆動すると板状部６０ｃとともに表示部４０が昇降する。これにより、リモートパネル３２の高さに基づいて表示部４０を案内位置と退避位置との間を昇降する。
【００５４】
上記構成の洗車機ＷＡにおいて、ユーザは被洗浄車両ＣＡを運転してリモートパネル３２の面前で停車させ、被洗浄車両ＣＡ内からリモートパネル３２を所望の高さに設定する。ユーザがリモートパネル３２を所望する高さに設定すると、飛水防止部６０が所定の上下方向の長さに形成され、表示部４０が退避位置から案内位置に下降する。
【００５５】
表示部４０の案内により被洗浄車両ＣＡが洗浄開始位置に停止すると、洗車機本体１が被洗浄車両ＣＡの方向に移動して洗車が開始される。洗車機本体１は被洗浄車両ＣＡの後方に向かって移動し、回転ブラシによる洗浄を行うとともに洗浄後の被洗浄車両ＣＡの表面に各送風ノズルから送風して乾燥を行う。
【００５６】
この時、形状センサ９の検出結果に基づき、飛水防止部６０の上下方向の長さが被洗浄車両ＣＡの形状に沿って可変される。このため、乾燥が行われている被洗浄車両ＣＡ表面に回転ブラシから飛水することを飛水防止部６０によって防止することができる。そして、洗車機本体１が被洗浄車両ＣＡの後方まで移動して洗車が終了する。
【００５７】
本実施形態によると、第１実施形態と同様の効果を奏することができる。また、飛水防止部６０により回転ブラシの飛水を防止して洗浄及び乾燥を同時に行うことができるため、洗車時間を短縮することができる。
【００５８】
また、昇降装置６５により昇降される飛水防止部６０に表示部４０を設置したため、利便性を向上できる洗車機ＷＡを容易に実現できる。
【産業上の利用可能性】
【００５９】
本発明によると、被洗浄車両を洗車開始位置に案内する表示部を備えた洗車機及び洗車方法に利用することができる。
【符号の説明】
【００６０】
１    洗車機本体
２    レール
３    車輪
４    トップブラシ
５    サイドブラシ
６    ロッカーブラシ
７    操作パネル
８    トップブラシ
９    形状センサ
２０    ブロア
２１    トップ送風ノズル
２２    サイド送風ノズル
３２    リモートパネル
３２ａ  入力部
３３    支柱
３８    明暗センサ
４０    表示部
４０ａ  青色回転灯
４０ｂ  赤色回転灯
４５    進入センサ
４６    停止センサ
４６ａ  支柱
５１    モータ
５１ａ  軸部
５４    ワイヤ
５５    昇降装置
６０    飛水防止部
６０ａ、６０ｂ、６０ｃ  板状部
６５    昇降装置
６５ａ  軸部
９０    スタンド部
９１    天井部
ＣＡ    被洗浄車両
ＷＡ    洗車機
【図１】
0006459810.tif 000002
【図２】
0006459810.tif 000003
【図３】
0006459810.tif 000004
【図４】
0006459810.tif 000005
【図５】
0006459810.tif 000006
【図６】
0006459810.tif 000007
【図７】
0006459810.tif 000008
【図８】
0006459810.tif 000009